(57)【要約】【課題】新たな音色を発するピアノを提供する。【解決手段】鍵盤３０の鍵が押下されることに伴ってハンマーが外殻体１０内の弦１２を叩くことによって音を発するピアノであって、外殻体１０を構成する部品である側板２１，上屋根２２，大屋根２３等の一部がガラス板６０によって形成されている。【選択図】図１Ｂ
2010008708.tif 000002
【特許請求の範囲】
【請求項１】
鍵盤の鍵が押下されることに伴ってハンマーが外殻体内の弦を叩くことによって音を発するピアノであって、
前記外殻体の一部がガラスによって形成されている、
ピアノ。
【請求項２】
請求項１に記載のピアノであって、
前記外殻体の残部が木材によって形成されている、
ピアノ。
【請求項３】
請求項１又は請求項２に記載のピアノであるグランドピアノであって、
前記外殻体を構成する部品として少なくとも側板、上屋根及び大屋根を有し、
前記側板、前記上屋根及び前記大屋根のうちの少なくとも１つのうちの一部がガラスによって形成されている、
グランドピアノ。
【請求項４】
請求項１又は請求項２に記載のピアノであるアップライトピアノであって、
前記外殻体を構成する部品として少なくとも上前板、下前板及び側板を有し、
前記上前板、前記下前板及び前記側板のうちの少なくとも１つのうちの一部がガラスによって形成されている、
アップライトピアノ。
【発明の詳細な説明】
【技術分野】
【０００１】
本発明は、ピアノに関するものである。
【背景技術】
【０００２】
１７世紀頃にピアノが発明されて以来、ピアノは、音楽界において最も代表的な楽器としての地位を占めている。
ピアノの構造については、当初の発明以来、各種の改良がされているが、現在のピアノの概略的な構造は、次のとおりである。なお、ピアノには、グランドピアノとアップライトピアノとがあるが、基本的な点（下記）は同様である。
【０００３】
ピアノは、外殻体を有し、その内部にはフレームが収容されている。フレームには、多数の弦が張られている。
ピアノのうちの手前側の部分には、多数の鍵からなる鍵盤が設けられている。外殻体の内部には、各鍵に対応してハンマーが設けられており、鍵が押下されることに伴って、対応するハンマーが対応する弦を叩き、音が生ずる。その音は、外殻体（少なくともそのうちの一部）等において響き、外部に発せられる。
【０００４】
従来より、ピアノの外殻体は、木材によって形成されている（その旨が特許文献１にも記載されている）。すなわち、ハンマーが弦を叩くことによって生じた弦の震動によって、木材による外殻体等が震動し、それらの震動に基づく空気の震動が、ピアノの音として空気中を伝わり、人間によって知覚されるのである。
【０００５】
ところで、近年の音楽の多様化等に伴って、これまでとは異なる新しい音色のピアノも望まれている。
そこで、本発明者は、新たな音色のピアノを開発することにしたのである。
【特許文献１】特開平１１−２１９１６３号公報
【発明の開示】
【発明が解決しようとする課題】
【０００６】
本発明は、基本的な構造の変更を伴う必要なく、新たな音色を発するピアノを提供することを課題とする。
【課題を解決するための手段】
【０００７】
上記の課題を解決するために、請求項１に係る発明は、鍵盤の鍵が押下されることに伴ってハンマーが外殻体内の弦を叩くことによって音を発するピアノであって、前記外殻体の一部がガラスによって形成されている、ピアノである。
【０００８】
この発明のピアノでは、鍵盤の鍵が押下されることに伴ってハンマーが弦を叩き、その弦の震動に基づいて外殻体等が震動し、それらに基づく空気の震動が空気中を伝わる。
そして、この発明のピアノでは、外殻体の一部がガラスによって形成されており、ガラスは木材等とは異なった態様の震動をすることから、外殻体が木材等のみによって形成されている場合とは異なり、斬新な音色が発せられることになる。
【０００９】
請求項２に係る発明は、請求項１に係る発明のピアノであって、前記外殻体の残部が木材によって形成されている、ピアノである。
【００１０】
この発明のピアノでは、鍵盤の鍵が押下されることに伴ってハンマーが弦を叩き、その弦の震動に基づいて外殻体等が震動し、それらに基づく空気の震動が空気中を伝わる。
そして、この発明のピアノでは、外殻体の一部がガラスによって形成され、残部が木材によって形成されている。ガラスは木材とは異なった態様の震動をすることから、木材の震動に基づく空気の振動、及び、ガラスの震動に基づく空気の振動という２種類の態様の震動が混在して形成された斬新な震動が外殻体から発せられることになる。
こうして、全体として斬新な音色が発せられることになる。
【００１１】
請求項３に係る発明は、請求項１又は請求項２に係る発明のピアノであるグランドピアノであって、前記外殻体を構成する部品として少なくとも側板、上屋根及び大屋根を有し、前記側板、前記上屋根及び前記大屋根のうちの少なくとも１つのうちの一部がガラスによって形成されている、グランドピアノである。
【００１２】
この発明では、グランドピアノにおいて、請求項１又は請求項２に係る発明のピアノの特徴がより具体的に得られることとなる。
【００１３】
請求項４に係る発明は、請求項１又は請求項２に係る発明のピアノであるアップライトピアノであって、前記外殻体を構成する部品として少なくとも上前板、下前板及び側板を有し、前記上前板、前記下前板及び前記側板のうちの少なくとも１つのうちの一部がガラスによって形成されている、アップライトピアノである。
【００１４】
この発明では、アップライトピアノにおいて、請求項１に係る発明のピアノの特徴がより具体的に得られることとなる。
【発明を実施するための最良の形態】
【００１５】
［実施形態１］
次に、本発明の実施形態１について、図１Ａ，図１Ｂ，図４，図５に基づいて説明する。
この実施形態は、グランドピアノに係るものである。
図１Ａ及び図１Ｂに示すように、グランドピアノは、外殻体１０として、側板２１，底板（図示省略），上屋根２２，大屋根２３，前板２４等を有している。外殻体１０には脚１５が設けられている。
【００１６】
大屋根２３は、水平な閉位置と、斜め上方に向かう開位置との間を変位（開閉）可能であり、開位置に位置する際には支持材１４によって支持される。
上屋根２２には、譜面台３５が、ほぼ水平な非使用位置と、斜め上方に延びる使用位置との間を変位可能に設けられている。
前板２４には、鍵盤蓋３２が開閉可能に設けられている。
【００１７】
図１Ｂに示すように、外殻体１０の手前側において、鍵盤蓋３２の内側には、鍵盤３０が設けられている。鍵盤３０は、多数の鍵（白鍵及び黒鍵）から形成されている（各鍵については符号省略）。
一方、外殻体１０の内部には、水平方向に延びるフレーム（図示省略）が設けられており、フレームには多数の弦１２が張られている（図１Ｂにおいては簡略的に示されている）。
その各弦１２は、鍵盤３０の各鍵に対応して張られている。グランドピアノにおいては、各弦１２は、ほぼ水平に張られている。
【００１８】
外殻体１０の内部において、各鍵と各弦１２との間には、各々、ハンマー及びハンマーを駆動させる機構が設けられている（いずれも図示省略）。
そして、鍵が押下されることに伴って、対応するハンマーが基本位置から作動位置まで変位して、対応する弦１２を叩くようにされている。なお、グランドピアノにおいては、ハンマーは、弦１２を叩いた後に、重力に基づいて作動位置から基本位置に戻るようにされている。
【００１９】
そして、図１Ａ及び図１Ｂに示すように、このグランドピアノでは、外殻体１０を構成する部材のうち、側板２１，上屋根２２，大屋根２３，前板２４は、各々、基本的には木材で形成されているとともに、その一部がガラスによって形成されている。
【００２０】
すなわち、各部材の少なくともその周縁部（又はその大半の部分）は木材板５０であり、その木材板５０には開口部５２又は切欠部５４が形成されている。
図１Ａ及び図１Ｂ，図４及び図５に示すように、開口部５２又は切欠部５４には、その開口部５２又は切欠部５４に沿った形状の止め枠７０（図１Ａ及び図１Ｂにおいては符号省略）が固定されており、その止め枠７０に対して、ガラス板６０（その縁部）がはめられている。
【００２１】
図５に示すように、ガラス板６０については、木材板５０と比較して薄肉の場合（図５（ａ））と、ほぼ同一の厚みの場合（図５（ｂ））とがある。ガラス板６０の厚さに応じて、適宜、種々の断面の止め枠７０が使用される。また、木材板５０は、止め枠７０に対してビス７２によって固定されている場合もある。
止め枠７０とガラス板６０の縁部との間等には、適宜、シリコン等のシール材７４が充填されている。これによって、共鳴による震動が生ずる（それによって異音が生ずる）ことが防止されている。
【００２２】
なお、同様にして、図１Ａ及び図１Ｂに示すように、鍵盤蓋３２，譜面台３５においても、その一部がガラスによって形成されている。すなわち、各々、開口部５２に対して、止め枠７０（図１Ａ及び図１Ｂにおいては符号省略）を介して、ガラス板６０がはめられている。
また、脚部１５においても、ガラスが使用されていてもよい。
【００２３】
次に、このピアノの作用効果について説明する。
鍵盤３０（図１Ｂ）の鍵が押下されることに基づいて、その鍵に対応するハンマーが、同じくその鍵に対応する弦１２を叩き、その弦１２が震動し、その弦１２から音が発する。
その震動は、外殻体１０等に伝わり、外殻体１０（その各部材）等が震動する。その際、外殻体１０のうちの木材の部分（木材板５０）が震動して、その震動が空気に伝わるとともに、外殻体１０のうちのガラスの部分（ガラス板６０）も振動して、その震動も空気に伝わる。
ここで、木材の部分の震動の態様（波形）と、ガラスの部分の振動の態様（波形）とは異なる。このため、木材の部分の振動に基づく空気の振動の態様と、ガラスの部分の震動に基づく空気の態様とは異なる。
こうして、全体として、その異なった２種類の態様の震動が混在して形成された音（空気の振動）が外殻体１０から発せられる。
以上のように、このピアノでは、外殻体（１０）が木材のみから形成されている場合と比較して、全く異なった斬新な音色が発せられることになるのである。
【００２４】
［実施形態２］
次に、本発明の実施形態２について、図２Ａ及び図２Ｂ等に基づいて説明する。
この実施形態２については、実施形態１と共通する点があるため、実施形態１と共通する要素については同一の符号を付して説明を適宜省略するとともに、相違点を中心に説明する。
【００２５】
この実施形態は、アップライトピアノに係るものである。
アップライトピアノは、外殻体１０として、上前板２６，下前板２７，底板（図示省略），屋根２８，側板２９，背板（図示省略）を有している。
上前板２６の下側には、鍵盤蓋３２が開閉可能に設けられている。
外殻体１０の内部には、ほぼ鉛直の平面に沿って延びるフレームが設けられており、フレームには多数の弦が張られている（いずれも図示省略）。
【００２６】
図２Ｂに示すように、外殻体１０の手前側において、鍵盤蓋３２の内側には、鍵盤３０が設けられている。鍵盤３０は多数の鍵（白鍵及び黒鍵）から形成されている（各鍵については符号省略）。
前述した多数の弦は、鍵盤３０の各鍵に対応して張られている。アップライトピアノにおいては、各弦は、ほぼ鉛直の平面に沿って張られている。
各鍵と各弦との間には、各々、ハンマー及びハンマーを駆動させる機構が設けられている（いずれも図示省略）。そして、鍵が押下されることに伴って、対応するハンマーが基本位置から作動位置まで変位して、対応する弦を叩くようにされている。なお、アップライトピアノにおいては、ハンマーは、弦を叩いた後に、バネによる弾性復元力に基づいて作動位置から基本位置に戻るようにされている。
【００２７】
そして、このアップライトピアノでは、外殻体１０を構成する部材のうち、上前板２６，下前板２７，側板２９、各々、基本的には木材で形成されているとともに、その一部がガラスによって形成されている。
すなわち、各部材は、少なくともその周縁部は木材板５０で形成されており、その木材板５０には開口部５２が形成されている。
開口部５２には、その開口部５２に沿った形状の止め枠７０（図１Ａ及び図１Ｂにおいては符号省略）が固定されており、その止め枠７０に対して、ガラス板６０（その縁部）がはめられている（図４及び図５も参照）。
【００２８】
このアップライトピアノは、以上の構成を有し、実施形態１のグランドピアノと同様の作用効果が得られる。
【００２９】
［実施形態２の変形例］
次に、実施形態２の変形例について、図３に基づいて、実施形態２との相違点を中心に、実施形態２と同一の符号を用いて説明する。
この変形例もアップライトピアノに係るものであり、実施形態２と同様の要素を有している。
そして、このアップライトピアノでは、上前板２６及び下前板２７においてのみ、その一部がガラス（ガラス板６０）によって形成されている。
【００３０】
なお、上記のものはあくまで本発明の数例の実施形態にすぎず、当業者の知識に基づいて種々の変更を加えた態様で本発明を実施できることはもちろんである。
【００３１】
例えば、外殻体（１０）を構成する部材のうちのいずれの部材の一部がガラス板（６０）にされるかは、種々のバリエーションが考えられる。また、そのガラス板（６０）の形状としても種々のものが考えられる。
【図面の簡単な説明】
【００３２】
【図１Ａ】本発明の実施形態１のピアノを示す斜視図である。大屋根及び鍵盤蓋が閉状態のものを示す。
【図１Ｂ】本発明の実施形態１のピアノを示す斜視図である。大屋根及び鍵盤蓋が開状態のものを示す。
【図２Ａ】本発明の実施形態２のピアノを示す斜視図である。鍵盤蓋が閉状態のものを示す。
【図２Ｂ】本発明の実施形態２のピアノを示す斜視図である。鍵盤蓋が開状態のものを示す。
【図３】本発明の実施形態２の変形例のピアノを示す斜視図である。
【図４】本発明の各実施形態のピアノ（外殻体）の一部を示す拡大図である。
【図５】本発明の各実施形態のピアノ（外殻体）の一部を示す拡大断面図である。
【符号の説明】
【００３３】
１０  外殻体
２１  側板
２２  上屋根
２３  大屋根
２６  上前板
２７  下前板
２９  側板
３０  鍵盤
５０  木材板
６０  ガラス板
【図１Ａ】
2010008708.tif 000003
【図１Ｂ】
2010008708.tif 000004
【図２Ａ】
2010008708.tif 000005
【図２Ｂ】
2010008708.tif 000006
【図３】
2010008708.tif 000007
【図４】
2010008708.tif 000008
【図５】
2010008708.tif 000009